(57)【要約】【課題】鉗子を使わなくても安全、簡単に装着及び取外しすることが可能な外科手術用クリップを提供する。【解決手段】対象を挟持する一対の脚部１１Ａ、１１Ｂからなる挟持部２０と、前記脚部１１Ａ、１１Ｂが互いに交差する交差部３０と、交差した前記脚部１１Ａ、１１Ｂがループ状に連結し、その外側から把持することで前記挟持部２０を開放する把持部４０と、を有する。さらに、外科手術用クリップ１０において、前記把持部４０に連結するバランサー部５０を備える。【選択図】図１
0003157486.tif 000002
【実用新案登録請求の範囲】
【請求項１】
対象を挟持する一対の脚部からなる挟持部と、前記脚部が互いに交差する交差部と、交差した前記脚部がループ状に連結され、当該ループ状に連結された橋脚部を把持部とする、ことを特徴とする外科手術用クリップ。
【請求項２】
対象を挟持する一対の脚部からなる挟持部と、前記脚部が互いに交差する交差部と、交差した前記脚部がループ状に連結され、当該ループ状に連結された橋脚部を把持部として前記挟持部を開放する外科手術用クリップにおいて、
前記把持部に連結するバランサー部をさらに備えることを特徴とする外科手術用クリップ。
【請求項３】
前記バランサー部に錘をさらに備えることを特徴とする請求項２に記載の外科手術用クリップ。
【請求項４】
前記バランサー部が環状の部材から成り、前記錘が該環状部に嵌入する球状の錘であることを特徴とする請求項３に記載の外科手術用クリップ。
【請求項５】
シリコン樹脂を含むプラスチック素材により複数個が連結状に成形された請求項１乃至４の何れかの項に記載の外科用手術用クリップ。
【考案の詳細な説明】
【技術分野】
【０００１】
本考案は、主に血管を挟持して血流のコントロール等に用いられる外科手術用クリップに係り、特に鉗子なしで開閉が容易な外科手術用クリップに関する。
【背景技術】
【０００２】
従来から、マイクロサージャリー（微小外科）での血管吻合等においては、外科手術用クリップが用いられてきた。外科手術用クリップとは、ブルドッグ鉗子等とも呼ばれ、動脈や静脈等の血管を挟持することで圧迫し出血のコントロールや止血保持を行うものである。このような外科手術用クリップは、手術中に縫合糸の端部を見失わないように挟持しておく用途でも用いられることがある。
【０００３】
図８に従来の外科手術用クリップの一例を示す。図８（ａ）は外科手術用クリップを閉じた状態、図８（ｂ）は開いた状態を示す。これらの図に示すように、従来の外科手術用クリップ１００は、湾曲部１０２で湾曲して連結する一対の脚部１０１Ａ、１０１Ｂから構成される。この脚部１０１Ａ、１０１Ｂは、対象を挟持するための挟持部１０３と、交差することで部材の弾性により挟持部１０３に挟持力を付与する交差部１０４と、略ループ状で、外側から把持して力を加えることにより挟持部１０３を開放する把持部１０５とを形成する。
【０００４】
通常、このような外科手術用クリップ１００で対象を挟持する際には、図９に示すように、鉗子２０１で把持部１０５を外側から挟んで内側に押圧し、挟持部１０３の脚部１０１Ａ、１０１Ｂを開いて用いられる。
【考案の概要】
【考案が解決しようとする課題】
【０００５】
上述したように、従来の外科手術用クリップ１００は、対象を挟持する際、及び挟持した状態から対象を取外す際には、その都度必ず鉗子２０１を必要とする。そのため、取扱いが煩雑であるという問題があった。
【０００６】
実際には外科手術用クリップ１００を、鉗子２０１を使わずに手で開くことは可能である。ただし、外科手術用クリップ１００は通常、数ミリから数十ミリとサイズが小さく、また挟持部１０３を開くときに力を加える把持部１０５が傾斜した構造の場合、手にしたときに安定せず、力を加えた際に滑りやすい。特に図８に示すような形状の外科手術用クリップ１００の場合、把持部１０５が、奥（挟持部１０３側）が幅広く手前（湾曲部１０２側）が幅狭い形状のため手が滑った場合に挟持対象側に弾け飛びやすい。このような理由で、鉗子２０１の使用が必須となっていた。これは縫合糸の端部に挟む用途の場合でも同様である。
【０００７】
そこで本考案は、上記従来の問題点に鑑みて、鉗子を使わなくても安全、簡単に装着及び取外しすることが可能な外科手術用クリップを提供することを目的とする。
【課題を解決するための手段】
【０００８】
上記課題を解決に鑑みて、本考案に係る外科手術用クリップは、対象を挟持する一対の脚部からなる挟持部と、前記脚部が互いに交差する交差部と、交差した前記脚部がループ状に連結し、その外側から把持することで前記挟持部を開放する把持部と、を有することを特徴とする。そして、本外科手術用クリップにおいて、前記把持部に連結するバランサー部を備える。
【０００９】
ここで、上記外科手術用クリップは、前記バランサー部に錘をさらに備えるようにしても良い。その場合、前記バランサー部は環状の部材から成り、前記錘はその環状部に嵌入する球状の錘であるのが好適である。ここで、本外科用手術用クリップは、シリコン樹脂を含むプラスチック素材により複数個が連結状に成形される。
【考案の効果】
【００１０】
本考案によれば、簡易な構成で、鉗子を使わなくても安全、簡単に装着及び取り外しができ、従来の外科手術用クリップより指掛かり良く滑りにくい外科手術用クリップを実現することが可能となる。
【図面の簡単な説明】
【００１１】
【図１】本考案の一実施形態に係る外科手術用クリップを閉じた状態の斜視図である。
【図２】図１の外科手術用クリップを開いた状態の斜視図である。
【図３】図１の外科手術用クリップを交差部で交差させる前の状態の斜視図である。
【図４】図３の外科手術用クリップの上面図である。
【図５】図１の外科手術用クリップを人の指で把持して開いた状態の模式図である。
【図６】本考案の他の実施形態に係る外科手術用クリップを閉じた状態の斜視図である。
【図７】図６の外科手術用クリップを縫合糸の端部を挟持する用途で用いた場合の模式図である。
【図８】従来の外科手術用クリップの一例を示す概略図である。
【図９】図８に示す従来の外科手術用クリップを使用する際の例を示す模式図である。
【考案を実施するための形態】
【００１２】
以下、本考案の実施の形態について、図面を参照しながら詳細に説明する。
【００１３】
図１及び図２は、本考案の一実施形態に係る外科手術用クリップの概略図である。図１は外科手術用クリップを閉じた状態、図２は開いた状態を示す。これらの図に示すように、本考案の外科手術用クリップ１０は、湾曲部１２で湾曲して連結する一対の脚部１１Ａ、１１Ｂと、バランサー５０と、から構成される。
【００１４】
脚部１１Ａ、１１Ｂは、対象を挟持するための挟持部２０と、交差することで部材の弾性により挟持部２０に挟持力を付与する交差部３０と、人が指で外側から把持して力を加えることにより挟持部２０を開放する把持部４０とを形成している。
【００１５】
ここで、本外科用手術用クリップは、シリコン樹脂を含むプラスチック素材により複数個が連結状に成形される。
【００１６】
挟持部２０は、脚部１１Ａ、１１Ｂの先端から構成されている。この脚部１１Ａ、１１Ｂは、それぞれ対象の挟持面２１Ａ、２１Ｂを備えている。この挟持面２１Ａ、２１Ｂには、例えば凹凸や細かい刻み目等を形成して滑り止めとするのが好適である。
【００１７】
交差部３０は、脚部１１Ａ、１１Ｂを交差させることで部材の弾性により挟持部２０に挟持力を付与する。両脚部１１Ａ、１１Ｂが交差する部分には、それぞれ凹部３１Ａ、３１Ｂが設けられている。
【００１８】
把持部４０は、湾曲部１２で略Ｕ字状に湾曲し交差部３０で交差する脚部１１Ａ、１１Ｂにより略ループ状に形成される。ここでは、把持部４０の脚部１１Ａ、１１Ｂは、交差部３０へ向かうにつれて外側に八字状に拡張する拡張部４１Ａ、４１Ｂを有している。把持部４０の表面には、一部に凹凸等の滑り止め４２Ａ、４２Ｂを設けるのが望ましい。
【００１９】
バランサー５０は、把持部４０を指で把持した際に滑りに対するストッパーとなる部分であり、湾曲部１２から外側に向かって形成される。ここでは、環状部５１と接続部５２から構成されている。環状部５１は、孔５１Ａを有する環状の部材であり、接続部５２を介して湾曲部１２に接続している。バランサー５０の形状は、ここで示した環状のほか、球状、多角形状等、様々なものが適用できる。
【００２０】
上記の構成を有する外科手術用クリップ１０は、樹脂による射出成形等で一体成形されるのが好適である。このとき、外科手術用クリップ１０は、交差部３０を交差させていない図３及び図４に示す形状で成形される。成形後に、脚部１１Ａ、１１Ｂをそれぞれ交差させて凹部３１Ａ、３１Ｂで係合させ、外科手術用クリップ１０が完成する。
【００２１】
上記の外科手術用クリップ１０を使用する際は、従来と同様に把持部４０を外側から把持して力を加えることにより挟持部２０の脚部１１Ａ、１１Ｂを開放する。ただし、本考案の外科手術用クリップ１０は、バランサー５０を設けたことにより、従来のようにその都度鉗子を用いなくても、人が指で容易に扱うことができる。図５に本考案の外科手術用クリップ１０を人の指で把持した状態を示す。この図に示すように、バランサー５０が把持部４０の後方にあることにより、指掛かりを良くして滑りを抑える。特に、把持部４０の拡張部４１Ａ、４１Ｂの傾斜に対して環状部５１が逆の傾斜を作るため、有効に滑りを防止する。
【００２２】
次に、本考案の他の実施形態について説明する。以下では、バランサーとして錘を備える外科手術用クリップについて述べる。図６は、本考案の他の実施形態に係る外科手術用クリップを閉じた状態の斜視図である。なお、図１に示す実施形態と同一の部分については、同一の符号を付して詳細な説明は省略する。
【００２３】
図６に示すように、本実施形態の外科手術用クリップ１０Ａは、バランサー５０Ａに錘となるボール６０を付加している。このボール６０は、環状部５１の孔５１Ａに嵌入させて固定するのが好適である。また、ボール６０は、ステンレス鋼等から成るのが好ましい。
【００２４】
通常の外科手術用クリップは軽く小さいため、着脱の際に弾いたり飛ばしたりすることが考えられる。そこで本実施形態では、錘としてボール６０を加えることにより程よい重量を与え、外科手術用クリップ１０Ａをより扱いやすくする。また、図７に示すように、外科手術用クリップ１０Ａを縫合糸３０１の端部を挟持する用途で用いる場合、ボール６０の適度な重みで縫合糸３０１をまっすぐ下に垂らして保持し、術者の動作等で弾く危険性を抑える。なお、このような縫合糸把持の用途で用いる場合、各脚部１１Ａ、１１Ｂの先端には、滑り止めとしてのカバー等を装着しても良い。
【００２５】
なお、上記では、先端がまっすぐな挟持部を図示したが、本考案の外科手術用クリップの挟持部は、脚部が屈曲あるいは湾曲した形状にしても良い。
【００２６】
以上のように、本考案によれば、上記のような簡易な構成で、鉗子を使わなくても安全、簡単に装着及び取り外しができ、従来の外科手術用クリップより指掛かり良く滑りにくい外科手術用クリップを実現することが可能となる。
【００２７】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２８】
本考案は、主に血管を挟持して血流のコントロール等に用いられる外科手術用クリップに係り、特に鉗子なしで開閉が容易な外科手術用クリップに関し、産業上の利用可能性を有する。
【符号の説明】
【００２９】
１０    外科手術用クリップ
１０Ａ  外科手術用クリップ
１１Ａ  脚部
１１Ｂ  脚部
１２    湾曲部
２０    挟持部
２１Ａ  挟持面
２１Ｂ  挟持面
３０    交差部
３１Ａ  凹部
３１Ｂ  凹部
４０    把持部
４１Ａ  拡張部
４１Ｂ  拡張部
４２Ａ  滑り止め
４２Ｂ  滑り止め
５０    バランサー
５０Ａ  バランサー
５１    環状部
５１Ａ  孔
５２    接続部
６０    ボール
【図１】
0003157486.tif 000003
【図２】
0003157486.tif 000004
【図３】
0003157486.tif 000005
【図４】
0003157486.tif 000006
【図５】
0003157486.tif 000007
【図６】
0003157486.tif 000008
【図７】
0003157486.tif 000009
【図８】
0003157486.tif 000010
【図９】
0003157486.tif 000011